(57)【要約】【課題】簡単な構成で高揚程、且つ、大容量の汚水の送水が可能な水中ポンプ装置を提供すること。【解決手段】水中ポンプ装置１は、軸心が重力方向に延びる第１モータ部と、下端部に設けられ、軸心方向に開口する第１吸込口部４１ｃ、及び、側面部に設けられ、軸心に直交する方向に開口する第１吐出口部４１ｄを有する、第１モータ部の下端に設けられた第１ポンプ部と、一端が第１吐出口部４１ｄに接続され、軸心に直交する方向に延びるとともに、一端から他端の中途において、軸心方向に沿って上方に屈曲し、一端側の開口から屈曲位置の間で内径が拡径する第１連結配管１３と、軸心が重力方向に延びる第２モータ部と、下端部に設けられ、軸心方向に開口する、第１連結配管１３の他端に接続された第２吸込口部４３ｃ、及び、側面部に設けられ、軸心に直交する方向に開口する第２吐出口部４３ｄを有する、第２モータ部の下端に設けられた第２ポンプ部を具備する。【選択図】      図１
2019127878.tif 000002
【特許請求の範囲】
【請求項１】
軸心が重力方向に延びる第１モータ部と、
下端部に設けられ、前記軸心方向に開口する第１吸込口部、及び、側面部に設けられ、前記軸心に直交する方向に開口する第１吐出口部を有する、前記第１モータ部の下端に設けられた第１ポンプ部と、
一端が前記第１吐出口部に接続され、前記軸心に直交する方向に延びるとともに、前記一端から他端の中途において、前記軸心方向に沿って上方に屈曲し、前記一端側の開口から前記屈曲位置の間で内径が拡径する第１連結配管と、
軸心が重力方向に延びる第２モータ部と、
下端部に設けられ、前記軸心方向に開口する、前記第１連結配管の他端に接続された第２吸込口部、及び、側面部に設けられ、前記軸心に直交する方向に開口する第２吐出口部を有する、前記第２モータ部の下端に設けられた第２ポンプ部と、
を具備する水中ポンプ装置。
【請求項２】
一端が前記第２吐出口部に接続され、前記軸心に直交する方向に延びるとともに、前記一端から他端の中途において、前記軸心方向に沿って上方に屈曲し、前記一端側の開口から前記屈曲する位置の間で内径が拡径した第２連結配管を備える請求項１に記載の水中ポンプ装置。
【請求項３】
一端が前記第２吐出口部に接続され、前記軸心に直交する方向に延びる連結直管と、
前記連結直管の他端の上部に一体に設けられ、前記連結直管の他端の端面から、前記連結直管の軸方向に所定の間隔を空けて離間し、下方に向かって延びる爪部を有する鉤状部と、
前記連結直管の他端に接続され、前記軸心に直交する方向に延びるとともに、一端から他端の中途において、前記軸心方向に沿って上方に屈曲する、汚水槽に固定されるベンド配管と、
前記ベンド配管の一端側の上部に設けられ、前記鉤状部の前記所定の間隔内に挿入され、前記鉤状部に係合する突起部と、
を備える請求項１に記載の水中ポンプ装置。
【請求項４】
前記突起部は、前記ベンド配管の一端側の軸方向の幅が、上端から前記ベンド配管の周壁に向かって漸次広がるとともに、前記爪部の先端及び前記爪部の内面の稜部が当接する面が傾斜する、請求項３に記載の水中ポンプ装置。
【請求項５】
前記連結直管の他端の端面は、前記ベンド配管の一端側の端面に向かって下方へ傾斜する請求項３に記載の水中ポンプ装置。
【請求項６】
前記第１モータ部、前記第１ポンプ部、前記第１連結配管、前記第２モータ部、前記第２ポンプ部、及び、前記連結直管は、一体に組み立てられ、
前記第１モータ部、前記第１ポンプ部、前記第１連結配管、前記第２モータ部、前記第２ポンプ部、及び、前記連結直管を一体としたときの重心位置よりも、前記第１ポンプ部及び前記第２ポンプ部の並び方向で前記第１ポンプ部側に懸架部が設けられた請求項３に記載の水中ポンプ装置。
【請求項７】
前記ベンド配管は、前記突起部の二次側の上面に設けられ、重力方向に沿って上方に延びる棒部材を有し、
前記鉤状部は、前記爪部の上端側の側面に、前記連結直管の軸方向に沿って前記連結直管の他端の端面から離間する方向に延出され、前記棒部材の周壁の周方向の少なくとも一部を囲む案内部を有する、請求項３に記載の水中ポンプ装置。
【発明の詳細な説明】
【技術分野】
【０００１】
本発明は、汚物・汚水を送水する水中ポンプ装置に関する。
【背景技術】
【０００２】
住宅、学校、病院、工場等に設置される汚水の排水設備として、排出された汚水を一時的に地下空間の汚水層に貯留し、汚水槽内に溜まった汚水を水中ポンプ装置で汲み上げ、他の設備へ汚水を中継させる技術が知られている。このような水中ポンプ装置は、要求される異物通過径に対応したインペラを用いるため、低揚程、且つ、大水量の揚水特性を有する。
【０００３】
昨今、従来の地下空間よりもさらに深い、いわゆる大深度の地下空間に汚水の排水設備を設けることが求められている。しかしながら、上述の水中ポンプ装置は、低揚程であるため、大深度の地下空間で用いるには、水中ポンプ装置の高揚程化が求められる。
【０００４】
一般的に水中ポンプ装置を高揚程化する技術としては、汚水槽に設けられる水中ポンプ装置のモータの出力を大きくするとともに、インペラの直径を拡大する技術が知られている。また、水中ポンプ装置を高揚程化する別の技術として、ポンプケーシング内の１つの回転軸に２段のインペラを設けることで高揚程化をする技術（例えば、特許文献１参照）が知られている。
【先行技術文献】
【特許文献】
【０００５】
【特許文献１】特開２０１２−２０７５６９号公報
【発明の概要】
【発明が解決しようとする課題】
【０００６】
しかしながら、例えば、要求される異物通過径に対応するとともに、インペラの直径を拡大した場合、ポンプケーシング及びインペラが専用部品となるため、製造困難である。また、ポンプケーシング内の１つの回転軸に２段のインペラが設けられた水中ポンプ装置は、２段のインペラを収容する特別な形状のポンプケーシング、及び、２段のインペラを固定可能な回転軸が必要となることから、水中ポンプ装置の構成が複雑になるという問題がある。
【０００７】
そこで、本発明は、簡単な構成で、高揚程、且つ、大容量の汚水の送水が可能な水中ポンプ装置を提供することを目的とする。
【課題を解決するための手段】
【０００８】
前記課題を解決し目的を達成するために、本発明の水中ポンプ装置は次のように構成されている。
【０００９】
本発明の一態様として、水中ポンプ装置は、軸心が重力方向に延びる第１モータ部と、下端部に設けられ、前記軸心方向に開口する第１吸込口部、及び、側面部に設けられ、前記軸心に直交する方向に開口する第１吐出口部を有する、前記第１モータ部の下端に設けられた第１ポンプ部と、一端が前記第１吐出口部に接続され、前記軸心に直交する方向に延びるとともに、前記一端から他端の中途において、前記軸心方向に沿って上方に屈曲し、前記一端側の開口から前記屈曲位置の間で内径が拡径する第１連結配管と、軸心が重力方向に延びる第２モータ部と、下端部に設けられ、前記軸心方向に開口する、前記第１連結配管の他端に接続された第２吸込口部、及び、側面部に設けられ、前記軸心に直交する方向に開口する第２吐出口部を有する、前記第２モータ部の下端に設けられた第２ポンプ部と、を具備する。
【発明の効果】
【００１０】
本発明によれば、本発明は、簡単な構成で、高揚程、且つ、大容量の汚水の送水が可能な水中ポンプ装置を提供することができる。
【図面の簡単な説明】
【００１１】
【図１】第１の実施形態に係る水中ポンプ装置の要部の構成を一部断面で示す側面図。
【図２】同水中ポンプ装置の揚水性能を示したグラフ。
【図３】第２の実施形態に係る水中ポンプ装置の要部の構成を一部断面で示す側面図。
【図４】同水中ポンプ装置の要部の構成を示す上面図。
【図５】同水中ポンプ装置の要部の構成を一部拡大して示す側面図。
【図６】第３の実施形態に係る水中ポンプ装置の要部の構成を一部断面で示す側面図。
【発明を実施するための形態】
【００１２】
（第１の実施形態）
以下、本発明の一実施形態に係る水中ポンプ装置１について図１及び図２を用いて説明する。  
図１は、本発明の第１の実施形態に係る水中ポンプ装置１の要部の構成を一部断面で示す側面図である。図２は、本発明の第１の実施形態に係る水中ポンプ装置１の揚水性能を従来の水中ポンプ装置と比較して示したものである。
【００１３】
図１に示すように、水中ポンプ装置１は、第１ポンプ１１と、第２ポンプ１２と、第１連結配管１３と、第２連結配管１４と、吊部１５と、を備えている。水中ポンプ装置１は、汚水を一時的に貯留する汚水槽１００内に設置される。水中ポンプ装置１は、下水設備へ汚水槽１００に貯留されている所定の粒径の異物を含む汚水を送水するための水中ポンプ装置である。
【００１４】
第１ポンプ１１は、第１モータ部２１と、第１ポンプ部２２と、を有する。第１ポンプ１１は、汚水を送水可能に形成される水中ポンプである。第１ポンプ１１は、例えば、渦巻ポンプである。
【００１５】
第１モータ部２１は、モータケーシング３１と、固定子３２と、回転子３３と、回転軸３４と、を備えている。モータケーシング３１は、固定子３２、回転子３３及び回転軸３４を収容する。モータケーシング３１は、第１モータ部２１の外殻の一部を構成する。
【００１６】
固定子３２は、筒状に形成される。固定子３２は、モータケーシング３１の内壁に固定される。回転子３３は、円筒状に形成される。回転子３３の中心には、回転軸３４が固定される。回転子３３は、固定子３２の内側に設けられ、固定子３２と同軸上で回転可能に設けられる。回転軸３４は、軸心が重力方向に延び、一端がモータケーシング３１から第１ポンプ部２２へ突出する。すなわち、回転軸３４は、回転子３３が固定されるとともに、重力方向に延設され、先端が第１ポンプ部２２内に挿入される。
【００１７】
第１ポンプ部２２は、第１モータ部２１の下端部に一体に設けられる。第１ポンプ部２２は、第１ポンプケーシング４１と、第１インペラ４２と、を備える。
【００１８】
第１ポンプケーシング４１は、その内部に第１インペラ４２を収納可能に形成されている。第１ポンプケーシング４１は、渦巻形状に形成される。第１ポンプケーシング４１は、第１ポンプ室４１ａと、複数の脚部４１ｂと、第１吸込口部４１ｃと、第１吐出口部４１ｄと、を有する。第１ポンプ室４１ａには、第１インペラ４２が回転可能に設けられる。
【００１９】
脚部４１ｂは、第１ポンプケーシング４１の汚水槽１００の設置面１０１と対向する壁部に複数設けられる。脚部４１ｂの高さは、通過させる異物の粒径により適宜設定される。
【００２０】
第１吸込口部４１ｃは、回転軸３４の軸心方向に開口する。すなわち、第１吸込口部４１ｃは、設置面１０１に対向し、第１ポンプケーシング４１の下面に形成される開口である。第１吸込口部４１ｃは、第１ポンプ１１を設置する設置面１０１から所定の間隙をあけて配置される。
【００２１】
第１吐出口部４１ｄは、第１ポンプケーシング４１の側面部に形成される開口である。第１吐出口部４１ｄは、回転軸３４の軸心に対して直交する方向に開口する。第１吐出口部４１ｄは、例えば、側面に突出して形成される。第１吐出口部４１ｄは、第１吸込口部４１ｃの口径よりも小径に形成される。
【００２２】
第１インペラ４２は、第１ポンプケーシング４１内に設けられる。第１インペラ４２は、第１ポンプケーシング４１内で回転することで、第１吸込口部４１ｃから吸込まれた汚水を第１吐出口部４１ｄに圧送可能に形成されている。第１インペラ４２は、回転軸３４を軸として回転可能に構成される。また、第１インペラ４２の羽根の高さは、求められる異物通過径により適宜設計される。
【００２３】
第２ポンプ１２は、第２モータ部２３と、第２ポンプ部２４と、を有している。第２ポンプ１２は、第１ポンプ１１の二次側に第１連結配管１３を介して接続される。第２ポンプ１２は、例えば、第１ポンプ１１と同じ渦巻ポンプである。第２ポンプ１２は、第１ポンプ１１に隣接して一体に形成される。
【００２４】
第２モータ部２３は、第１モータ部２１と同じ構成であるため、第１モータ部２１と同じ構成には、同一の符号を付し、その詳細な説明については省略する。第２ポンプ部２４は、第１ポンプ部２２と同等の構成を有しているが、説明上別の符号を用いて示している。
【００２５】
第２ポンプ部２４は、第２モータ部２３の下端に一体に設けられる。第２ポンプ部２４は、第２ポンプケーシング４３と、第２インペラ４４と、を有する。
【００２６】
第２ポンプケーシング４３は、その内部に第２インペラ４４を収納可能に形成されている。第２ポンプケーシング４３は、第２ポンプ室４３ａと、複数の脚部４３ｂと、第２吸込口部４３ｃと、第２吐出口部４３ｄと、を有する。第２ポンプ室４３ａは、第２ポンプケーシング４３の内部に設けられ、第２インペラ４４が回転可能に収容される。脚部４３ｂは、第２ポンプケーシング４３の汚水槽１００の設置面１０１と対向する壁部に複数設けられる。
【００２７】
第２吸込口部４３ｃは、第２ポンプケーシング４３の下面に形成され、軸心方向に開口する開口である。第２吸込口部４３ｃは、第１ポンプ１１で吸い上げられ、第１吐出口部４１ｄから吐出される汚水中の異物を通過可能な口径に形成されている。
【００２８】
第２吐出口部４３ｄは、第２ポンプケーシング４３の側面部に形成される開口である。第２吐出口部４３ｄは、回転軸３４の軸心に対して直交する方向に開口する。第２吐出口部４３ｄは、例えば、第２ポンプケーシング４３の側面に突出して設けられる。第２吐出口部４３ｄは、第２吸込口部４３ｃの口径よりも小径に形成される。
【００２９】
第２インペラ４４は、第２ポンプケーシング４３内に設けられる。第２インペラ４４は、第２ポンプケーシング４３内で回転することで、第２吸込口部４３ｃから吸込まれた汚水を第２吐出口部４３ｄに圧送可能に形成されている。第２インペラ４４は、回転軸３４を軸として回転可能に構成される。また、第２インペラ４４の羽根の高さは、求められる異物通過径により適宜設計される。
【００３０】
なお、本実施形態において、第１ポンプ１１及び第２ポンプ１２は、同じ水中ポンプを使用しているが、これに限られず、例えば、出力が異なる２台の水中ポンプを用いることも可能である。
【００３１】
第１連結配管１３は、第１ポンプ１１及び第２ポンプ１２を流体的に接続する。第１連結配管１３は、第１ポンプ１１及び第２ポンプ１２の間に配置され、第１ポンプ１１及び第２ポンプ１２を直列に接続可能に構成される。第１連結配管１３は、一端を第１吐出口部４１ｄに接続し、他端を第２吸込口部４３ｃに接続する。
【００３２】
第１連結配管１３は、一端が第１吐出口部４１ｄに接続され、一端から他端の中途において回転軸３４の軸心方向に沿って上方に屈曲するとともに、一端側の開口から屈曲位置の間で内径が拡径する、筒状に形成される。第１連結配管１３は、一方の開口部の中心軸に対して他方の開口部の中心軸が直交方向に交差するように屈曲する管である。第１連結配管１３は、第１吐出口部４１ｄから送られる汚水を上方に位置する第２吸込口部４３ｃに案内する配管である。
【００３３】
第１連結配管１３は、第１開口部５１と、第２開口部５２と、テーパ部５３と、フランジ５４と、フランジ５５と、を有する。第１連結配管１３は、第１吐出口部４１ｄ及び第２吸込口部４３ｃを接続する。
【００３４】
第１開口部５１は、第１吐出口部４１ｄと接続される。第１開口部５１の内径は、第１吐出口部４１ｄの内径と同じ内径に形成されている。第１開口部５１の外縁には、第１吐出口部４１ｄのフランジ４１ｄ１と締結されるフランジ５４が形成されている。
【００３５】
第２開口部５２は、第２吸込口部４３ｃと接続される。第２開口部５２の内径は、第２吸込口部４３ｃの内径と同じ内径に形成されている。第２開口部５２の外縁には、第２吸込口部４３ｃと締結されるフランジ５５を備えている。
【００３６】
フランジ５５には、複数の締結用のボルト５５ａが設けられる。ボルト５５ａは、第２ポンプケーシング４３内に発生する旋回流の発生による軸動力の増加を抑えるように設けられる。例えば、ボルト５５ａは、第２吸込口部４３ｃとフランジ５５を締結したときに、第２ポンプケーシング４３の内壁面と面一となる長さに形成される。フランジ５５は、例えば、丸型フランジが用いられる。
【００３７】
テーパ部５３は、第１吐出口部４１ｄの内径と同じ内径を第１吐出口部４１ｄ側に有する。テーパ部５３は、第１吐出口部４１ｄ側の開口から屈曲する位置の間において、内径が拡径する。テーパ部５３は、第１吐出口部４１ｄ側の内壁に設けられる。テーパ部５３は、屈曲位置よりも第１吐出口部４１ｄ側において、第１連結配管１３の内径が第２吸込口部４３ｃの内径と同じ内径になるように形成される。
【００３８】
第２連結配管１４は、例えば、第１連結配管１３と同じ形状の配管である。第２連結配管１４は、第１開口部５１側を第２吐出口部４３ｄに接続される。第２連結配管１４は、第２開口部５２側を吐出配管１１０に接続される。
【００３９】
吊部１５は、第１ポンプ１１及び第２ポンプ１２の上部に設けられる。具体的には、第１ポンプ１１の回転軸中心上に第１アイボルト６１が設けられる。第２ポンプ１２の回転軸中心上に第２アイボルト６２が設けられる。
【００４０】
吊部１５は、例えば、汚水槽１００の設置面１０１に第１ポンプ１１及び第２ポンプ１２を設置するときに第１ポンプ１１及び第２ポンプ１２を懸架可能に構成されている。
【００４１】
続いて、水中ポンプ装置１の動作及び機能について説明する。
【００４２】
水中ポンプ装置１に電源が入れられると、第１ポンプ１１の第１モータ部２１が駆動され、第１インペラ４２が回転することで揚水が開始される。第１インペラ４２により増圧された汚水は、第１吐出口部４１ｄへ案内された後、第１連結配管１３を介して接続される第２ポンプ１２の第２吸込口部４３ｃへ汚水を案内する。
【００４３】
このとき、第１連結配管１３には、第１連結配管１３内を流れる汚水の圧力損失を低減させるために、屈曲位置よりも第１吐出口部４１ｄ側にテーパ部５３が形成されている。
【００４４】
次に、第１ポンプ１１が駆動された後、第２モータ部２３が駆動され、第２インペラ４４が回転することで揚水が開始される。第２インペラ４４により増圧された汚水は、第２吐出口部４３ｄへ案内された後、第２連結配管１４を介して接続される吐出配管１１０へ案内される。
【００４５】
このとき、第２連結配管１４は、第２連結配管１４内を流れる汚水の圧力損失を低減させるために、屈曲位置よりも第１吐出口部４１ｄ側にテーパ部５３が形成されている。
【実施例】
【００４６】
本発明の特徴をより具体的にするために、以下、図２の比較試験結果を用いて説明する。なお、本発明の範囲は、以下の実施例に限定されるものではない。
【００４７】
図２は、横軸を流量（ｍ３／ｍｉｎ）とし、縦軸を全揚程（ｍ）として、３台の異なるポンプ特性を有するポンプ装置の揚水性能を比較したグラフである。
【００４８】
Ｓ１は、７．５ｋＷの第１ポンプ１１及び第２ポンプ１２を２台直列に接続した第１の実施形態に係る水中ポンプ装置１の揚水性能を示す。Ｓ２は、同様に、５．５ｋＷの第１ポンプ１１及び第２ポンプ１２を２台直列に接続した水中ポンプ装置１の揚水性能を示す。Ｃ１は、比較例として、２２ｋＷの水中ポンプを単独で用いた水中ポンプ装置の揚水性能を示す。
【００４９】
図２に示すように、７．５ｋＷの第１ポンプ１１及び第２ポンプ１２を２台直列に接続した水中ポンプ装置１は、Ｓ１に示すように、流量０．４ｍ３／ｍｉｎの場合において、全揚程として５０ｍを超える値を示した。この値は、同流量における２２ｋＷの水中ポンプを単独で用いた水中ポンプ装置の全揚程を上回る結果であった。
【００５０】
さらに言えば、７．５ｋＷの第１ポンプ１１及び第２ポンプ１２を２台直列に接続した水中ポンプ装置１は、流量が０．４〜０．７ｍ３／ｍｉｎの範囲においては、２２ｋＷの水中ポンプを単独で用いた水中ポンプ装置よりも高揚程の送水が可能であることが示された。また、５．５ｋＷの第１ポンプ１１及び第２ポンプ１２を２台直列に接続した水中ポンプ装置１を用いた場合であっても、図２に示すように、流量０．５／ｍｉｎにて全揚程４０ｍの送水が可能であることが示された。
【００５１】
上述の実施例の結果から、７．５ｋＷの第１ポンプ１１及び第２ポンプ１２を２台直列に接続した水中ポンプ装置１は、所定流量域において、２２ｋＷの水中ポンプを単独で用いた水中ポンプ装置に相当する高揚程、且つ、大容量の送水を可能とすることが示された。加えて、流量が０．４〜０．７ｍ３／ｍｉｎの範囲においては、２２ｋＷの水中ポンプを単独で用いた水中ポンプ装置よりも高揚程の送水を可能とすることが示された。
【００５２】
このような構成を有する水中ポンプ装置１によれば、２台の水中ポンプを直列に接続する簡単な構成で、高揚程、大容量の汚水の送水を提供することができる。また、水中ポンプ装置１は、第１連結配管１３を介して第１ポンプ１１及び第２ポンプ１２を接続する構成としたことにより、第１ポンプ１１及び第２ポンプ１２の接続部分における圧力損失を低減することができる。
【００５３】
このため、水中ポンプ装置１は、第１連結配管１３の屈曲部分における圧力損失を低減し、第１吐出口部４１ｄから吐出された汚水を効率的に第２ポンプ１２へ圧送することができることから、水中ポンプ装置１は、高揚程、且つ、大容量の送水をすることができる。
【００５４】
また、本実施形態においては、ボルト５５aの端部は、第２ポンプケーシング４３の下部の内壁面と面一になるように構成されている。すなわち、水中ポンプ装置１は、第２ポンプケーシング４３の下部にボルト用のボス部や、締結用のボルトが突出することがない。このため、第２ポンプケーシング４３の下部に発生する旋回流が第２ポンプケーシング４３の内側に突出するボルト等に衝突することによる軸動力の増加を抑えることができる。
【００５５】
また、第１連結配管１３及び第２連結配管１４は同じ部材を兼用することができる。このため、水中ポンプ装置１は、製造コストを低減することができる。また、既に、汚水の排水に用いられている水中ポンプに同型の水中ポンプに第１連結配管１３を介して、直列に同型の水中ポンプを連結する簡易な構造であるため、製造コストを低減することができる。また、第２連結配管１４を用いることにより、第２吐出口部４３ｄから排出された汚水を吐出配管１１０へ送水するときの圧力損失を低減することができる。
（第２の実施形態）
次に、本発明の第２の実施形態に係る水中ポンプ装置１Ａの構成について図３乃至図５を用いて説明する。
【００５６】
図３は、第２の実施形態に係る水中ポンプ装置１Ａの要部の構成を一部断面で示す側面図である。図４は、水中ポンプ装置１Ａの要部の構成を示す上面図である。図５は、水中ポンプ装置１Ａの要部の構成を一部拡大して示す側面図である。
【００５７】
なお、第２の実施形態に係る水中ポンプ装置１Ａの構成のうち、上述した第１の実施形態に係る水中ポンプ装置１と同様の構成には同一の符号を付し、その詳細な説明は省略する。また、以下において、水中ポンプ１０とは、第１ポンプ１１、第２ポンプ１２、第１連結配管１３及び連結直管１８を一体に組み合わせたものである。第２の実施形態に係る水中ポンプ装置１Ａは、水中ポンプ装置１の第２連結配管１４に替わり、連結部１７と、水中ポンプ１０を連結部１７に着脱するための連結直管１８と、を有する。
【００５８】
連結部１７は、円筒状を有し、一端側から他端の中途において、回転軸３４の軸心方向に沿って上方に屈曲するベンド配管７１と、ベンド配管７１を支持するベース部７２と、重力方向に沿って上方に延びる棒部材７３と、を有する。
【００５９】
ベンド配管７１は、連結直管１８内に送られた汚水を吐出配管１１０へ連絡可能に形成されている。ベンド配管７１は、汚水槽１００の設置面１０１に固定される。ベンド配管７１は、例えば、ベース部７２を介して設置面１０１に固定される。ベンド配管７１は、一端側が連結直管１８と流体的に接続され、他端側が吐出配管１１０の下端に流体的に接続される。
【００６０】
ベンド配管７１は、フランジ７１ａと、スライド部７１ｂと、固定部７１ｃと、棒部材７３と、を備える。ベンド配管７１は、ベース部７２に固定される。
【００６１】
フランジ７１ａは、ベンド配管７１の吐出配管１１０側の端部に一体に形成され、吐出配管１１０の下端にベンド配管７１の端部を固定可能に形成される。  
スライド部７１ｂは、ベンド配管７１の連結直管１８に接続する一端側の端部に一体に形成される。スライド部７１ｂは、水中ポンプ１０をベンド配管７１に着脱可能に流体的に接続可能に形成される。スライド部７１ｂは、突起部７１ｂ１と、結合面７１ｂ２と、を有する。
【００６２】
突起部７１ｂ１は、図３乃至図５に示すように、ベンド配管７１の一端側の上部に設けられる。突起部７１ｂ１は、ベンド配管７１の一端側の軸方向の幅が、上端からベンド配管７１の周壁７１ｂ３に向かって漸次広がる形状に形成される。突起部７１ｂ１には、連結直管１８に対向する面と反対側の面に傾斜面９１が形成される。
【００６３】
固定部７１ｃは、ベンド配管７１の一端側の軸方向に沿って、周壁７１ｂ３の上側に形成される。すなわち、固定部７１ｃは、汚水槽１００の開口側であって、突起部７１ｂ１に隣接して形成される。固定部７１ｃは、棒部材７３を固定可能に形成される。例えば、固定部７１ｃには、水平面加工が施されている。
【００６４】
ベース部７２は、設置面１０１に固定される。ベース部７２は、ベンド配管７１を所定の高さで支持可能に構成される。ベース部７２は、支持体７２ａと、脚体７２ｂとを有する。支持体７２ａは、ベンド配管７１を支持する。脚体７２ｂは、支持体７２aの下に取り付けられ、ベンド配管７１を所定の高さに支持する。ここで所定の高さとは、例えば、水中ポンプ装置１Ａが汚水槽１００に設置されたときに汚水槽１００の設置面１０１と第１ポンプ１１の脚部４１ｂの先端の間にわずかに隙間が生じる高さである。
【００６５】
棒部材７３は、長手方向が重力方向に沿い、一端が固定部７１ｃに固定される。棒部材７３は、汚水槽１００内に降下される水中ポンプ１０を固定位置に案内可能に構成される。具体的には、棒部材７３は、ベンド配管７１の固定部７１ｃに固定される。棒部材７３は、例えば、吐出配管１１０に沿って重力方向に設けられる。棒部材７３は、図４に示すように、固定部７１ｃに２本設けられる。２本の棒部材７３は、重力方向に沿って平行に固定部７１ｃに固定される。棒部材７３は、円柱部７３ａと、円筒部７３ｂとを有する。円柱部７３aは、通常の鋼管に比べて、高精度であって、且つ、剛性が高く、連結直管１８が衝突しても変形しにくい形状及び材料により構成されることが好ましい。円柱部７３aは、例えば、ステンレスにより形成される。円柱部７３aは、軸心が重力方向に延びる姿勢で固定部７１ｃに固定される。円柱部７３aの長さは、着脱時の位置精度が必要となる長さに適宜調整される。円柱部７３ａの長さは、例えば、１２ｃｍ乃至１５ｃｍ程度である。円筒部７３ｂは、円柱部７３aの先端に同軸上に接続され、汚水槽１００の開口部に到達するまで延設される中空の鋼管である。
【００６６】
連結直管１８は、第２ポンプ１２をベンド配管７１と流体的に接続可能に形成されている。連結直管１８は、筒状に形成される。連結直管１８は、一端側が第２ポンプ１２の第２吐出口部４３ｄと接続され、他端側がベンド配管７１の結合面７１ｂ２と接続される。連結直管１８は、フランジ８１と、昇降ガイド部８２と、被スライド部８３と、を有する。
【００６７】
フランジ８１は、対向して設けられる、第２吐出口部４３ｄのフランジ４３ｄ１に連結直管１８を固定可能に形成される。フランジ８１は、連結直管１８の第２吐出口部４３ｄ側の端部に一体に形成される。
【００６８】
昇降ガイド部８２は、連結直管１８の他端において連結直管１８をベンド配管７１と接続可能に構成される。昇降ガイド部８２は、鉤状部８２ａと、案内部８２ｂとを一体に有する。
【００６９】
鉤状部８２ａは、ベンド配管７１の突起部７１ｂ１に係合可能に形成される。鉤状部８２ａは、連結直管１８の他端の上部に一体に設けられる。鉤状部８２ａは、爪部８２ａ１と、爪部８２ａ１の先端に稜部８２ａ２とを有する。鉤状部８２ａは、連結直管１８の他端の端面から、連結直管１８の被スライド部８３の軸方向に所定の間隔を空けて離間し、下方に向かって延びる爪部８２ａ１を有する。言い換えれば、鉤状部８２ａは、連結直管１８の他端側からスライド部７１ｂの突起部７１ｂ１を跨ぎ、爪部８２ａ１の稜部８２ａ２が傾斜面９１と当接可能に形成される。
【００７０】
案内部８２ｂは、水中ポンプ１０を棒部材７３に沿って移動させる部材である。案内部８２ｂは、爪部８２ａ１の上端側の側面に形成される。案内部８２ｂは、連結直管１８の軸方向に沿って、連結直管１８の他端の端面から離間する方向に延出され、棒部材７３の、周壁７３ｃの周方向の少なくとも一部を囲む。具体的には、図４に示すように、案内部８２ｂは、鉤状部８２aから連結直管１８の軸方向に沿って延設され、先端が鉤状に曲った一対の湾曲部材である。例えば、案内部８２ｂは、鉤状部８２ａの幅方向の両端部から連結直管１８の軸方向に沿って、棒部材７３に向かって延設されるとともに、棒部材７３の周壁７３ｃの周方向に沿って、その一部を囲む、先端が湾曲して形成される。案内部８２ｂは、湾曲した鉤状の部材であって、一対の棒部材７３のそれぞれの周壁７３ｃに沿って設けられる。例えば、一対の案内部８２ｂの先端は、所定の間隔を空けて互いに対向する。ここで、所定の間隔とは、二本の棒部材７３に一対の案内部８２ｂが着脱可能な間隔である。
【００７１】
被スライド部８３は、連結直管１８の他端側に形成される端面である。被スライド部８３は、ベンド配管７１の結合面７１ｂ２に対向する位置に設けられる。被スライド部８３は、結合面７１ｂ２に向かって下方へ傾斜する。言い換えれば、被スライド部８３は、昇降ガイド部８２側がわずかにせり出すように下方へ傾斜して形成される。言い換えれば、被スライド部８３は、下方が上方よりも連結直管１８側に傾斜して形成される。被スライド部８３は、垂直面を基準とすると、例えば、０．５°乃至１°傾斜して形成される。
【００７２】
吊部１５Ａは、第１ポンプ１１及び第２ポンプ１２の上部に設けられる。吊部１５Ａは、第１ポンプ１１及び第２ポンプ１２を連結する。
【００７３】
吊部１５Ａは、第１棒部材６３、第２棒部材６４及び第３棒部材６５を有する。第１棒部材６３は、第１ポンプ１１の上部に設置面１０１と平行に固定される一方向に長い部材である。第２棒部材６４は、第１棒部材６３の第２ポンプ１２側の端部に固定される、回転軸３４に沿って上方に延設される部材である。第３棒部材６５は、第２ポンプ１２の上部において、設置面１０１と平行に固定される一方向に長い部材である。第３棒部材６５は、一端が第２棒部材６４の先端と固定される。第３棒部材６５の第２棒部材６４側の端部には、第３アイボルト６６が設けられる。第３アイボルト６６は、水中ポンプ１０を吊り下げるための懸架部である。
【００７４】
第３アイボルト６６は、水中ポンプ１０の重心位置よりも、第１ポンプ１１及び第２ポンプ１２の並び方向で第１ポンプ１１側に設けられる。すなわち、第３アイボルト６６は、第１ポンプ１１の回転軸３４の中心及び第２ポンプ１２の回転軸３４の中間位置よりも第１ポンプ１１側に固定される。第３アイボルト６６は、水中ポンプ１０を吊り下げたときに、第２ポンプ１２側が少し下方に向く位置に設置されている。すなわち、第３アイボルト６６は、水中ポンプ１０の重心位置よりも第１ポンプ１１側に固定される。
【００７５】
次に、水中ポンプ１０の汚水槽１００への設置方法について説明する。
【００７６】
まず水中ポンプ１０を汚水槽１００内に設置する方法を説明する前に、予め汚水槽１００の設置面１０１に連結部１７を固定する。連結部１７は、ベンド配管７１のフランジ７１a側の端部を吐出配管１１０と接続される。また、ベンド配管７１の一対の円柱部７３ａには、汚水槽１００の深度に対応した所定の長さを有する円筒部７３ｂが重力方向に沿って接続されている。
【００７７】
次に、水中ポンプ１０を汚水槽１００内に設置する方法について説明する。
【００７８】
作業者は、水中ポンプ１０の第３アイボルト６６にワイヤロープを接続する。水中ポンプ１０は、案内部８２ｂの内側に一対の棒部材７３が摺動自在に位置するように配置される。作業者は、汚水槽１００の設置面１０１へ向かって水中ポンプ１０の降下を開始する。このとき、第３アイボルト６６が水中ポンプ１０の重心位置よりも第１ポンプ１１側に配置されていることから、水中ポンプ１０は、第２ポンプ１２側が少し下方を向く姿勢で棒部材７３に沿って降下される。
【００７９】
水中ポンプ１０が降下し、ベンド配管７１に近接すると、鉤状部８２ａの爪部８２ａ１の稜部８２ａ２が突起部７１ｂ１の傾斜面９１と当接する。このとき、稜部８２ａ２は、他の部材の干渉を受けることなく、傾斜面９１上を傾斜方向に沿って周壁７１ｂ３に向かって移動する。
【００８０】
その後、水中ポンプ１０は、爪部８２ａ１の稜部８２ａ２と傾斜面９１との係止支点を中心に第１ポンプ１１が設置面１０１方向へ向かう方向に回動する。このとき、被スライド部８３と結合面７１ｂ２とが接触するとともに、水中ポンプ１０の自重により密着する。これにより、水中ポンプ１０及びベンド配管７１が流体的に接続される。このようにして、水中ポンプ１０の汚水槽１００への設置が終了する。
【００８１】
このような構成を有する第２の実施形態に係る水中ポンプ装置１Ａによれば、第１の実施形態の水中ポンプ装置１の効果に加えて、以下の効果を有する。
【００８２】
水中ポンプ１０は、第１ポンプ１１および第２ポンプ１２を第１連結配管１３介して直列に接続した構成としている。このような構成を有する水中ポンプ装置１Ａは、水中ポンプ１０の質量のほぼ半分に値する２台のモータを近接して配置することができる。このような水中ポンプ装置１Ａは、第１ポンプ１１及び第２ポンプ１２を連結直管１８に係合したときのモーメント荷重の増加を抑えることができる。このため、水中ポンプ１０は、従来の着脱式水中ポンプ装置に使用されているベース部７２の高さを調節するのみの簡単な構成で設置することができる。
【００８３】
また、水中ポンプ１０は、汚水槽１００へ設置するときのワイヤロープと接続される第３アイボルト６６を第１ポンプ１１及び第２ポンプ１２の中間点よりも第１ポンプ側に設けている。このような構成とすることで、水中ポンプ１０は、吊下げられたときに、第２ポンプ１２側が若干下方に傾斜する姿勢で、水中ポンプ１０を汚水槽１００内に降下することができる。
【００８４】
この姿勢で水中ポンプ１０を下降すると、昇降ガイド部８２の鉤状部８２ａは、他の部材に干渉されることなく突起部７１ｂ１の傾斜面９１に稜部８２ａ２が当接する構成であるため、水中ポンプ１０が設置面１０１に向かって回動するときの支点が安定する。このため、スライド部７１ｂの結合面７１ｂ２及び連結直管１８の被スライド部８３が密着しやすくなる。
【００８５】
また、連結部１７は、水中ポンプ１０がベンド配管７１に接続された状態において、第１ポンプ１１の脚部４１ｂが設置面１０１に接触しない高さに構成されている。これにより、連結部１７の結合面７１ｂ２及び連結直管１８の被スライド部８３の密着性を高めることができる。
【００８６】
また、固定部７１ｃに固定される一対の円柱部７３aには、寸法精度が高く、剛性が高い柱状部材が用いられる。これにより、水中ポンプ装置１Ａは、棒部材７３と案内部８２ｂとの間の隙間を小さくすることができるため、着脱時の水中ポンプ１０の揺動を低減することができる。また、水中ポンプ装置１Ａは、円柱部７３aの剛性を高めたことで、円柱部７３aの周囲を軸方向に沿って移動する案内部８２ｂが、円柱部７３aに衝突した場合でも折れ曲がることがない。
【００８７】
また、第２の実施形態に係る水中ポンプ１０は、ポンプケーシングが上面視において非対称な構造であることから、棒部材７３の並び方向において質量のアンバランス性が生じている。このため、水中ポンプ１０の起動時に回転軸回りの反動トルク等により、突起部７１ｂ１に係合されている爪部８２ａ１が傾斜面９１をずり下がる又はずり上がることで、液漏れが生じる虞がある。
【００８８】
本実施形態の水中ポンプ１０は、爪部８２ａ１を下方に延設し、傾斜面９１の下端において、当接する構成としている。これにより、稜部８２ａ２の棒部材７３の並び方向の一方側がずり上がったときには、稜部８２ａ２の他方側が傾斜面９１の下端と当接する。このため、水中ポンプ１０の連結直管１８の中心軸回りの回転が規制される。これにより、水中ポンプ１０の連結直管１８の被スライド部８３と結合面７１ｂ２との位置ずれ、及び、水中ポンプ１０のベンド配管７１からの脱落を防止することができる。
（第３の実施形態）
次に、本発明の第３の実施形態に係る水中ポンプ装置１Ｂの構成について図６を用いて説明する。図６は、第３の実施形態に係る水中ポンプ装置１Ｂの要部の構成を一部断面で示す側面図である。なお、第３の実施形態に係る水中ポンプ装置１Ｂの構成のうち、上述した第２の実施形態に係る水中ポンプ装置１Ａと同様の構成には同一の符号を付し、その詳細な説明は省略する。また、第３の実施形態に係る水中ポンプ装置１Ｂは、第１連結配管１３Ｂ以外は、第２の実施形態に係る水中ポンプ装置１Ａと同等の構成であるため、その詳細な説明は省略する。
【００８９】
第３の実施形態に係る水中ポンプ装置１Ｂは、第１ポンプ１１と、第２ポンプ１２と、第１連結配管１３Ｂと、吊部１５と、連結部１７と、連結直管１８と、を備えている。
【００９０】
水中ポンプ装置１Ｂは、２台の水中ポンプを吊下げ時の重心位置が１台のポンプを吊下げるときとほぼ変わらない位置にくるように直列に接続した水中ポンプ装置である。具体的には、第１ポンプ１１のほぼ真上に第２ポンプ１２が位置するように配置し、第１吐出口部４１ｄ及び第２吸込口部４３ｃを第１連結配管１３Ｂで接続する構成を有している。
【００９１】
水中ポンプ装置１Ｂは、汚水槽１００の設置面１０１に形成された孔部１０２に第１ポンプ１１を配置し、第２ポンプ１２と連結部１７とを連結直管１８を介して接続することで構成される。
【００９２】
このような構成を有する水中ポンプ装置１Ｂは、上述の第２の実施形態に係る水中ポンプ装置１Ａの効果に加えて、重心位置が１つのポンプと変わらないため、着脱作業を容易に行うことができる。
【００９３】
なお、本発明は、上記実施形態に限定されるものではなく、実施段階ではその要旨を逸脱しない範囲で種々に変形することが可能である。また、各実施形態は適宜組み合わせて実施してもよく、その場合組み合わせた効果が得られる。更に、上記実施形態には種々の発明が含まれており、開示される複数の構成要件から選択された組み合わせにより種々の発明が抽出され得る。例えば、実施形態に示される全構成要件からいくつかの構成要件が削除されても、課題が解決でき、効果が得られる場合には、この構成要件が削除された構成が発明として抽出され得る。
【符号の説明】
【００９４】
１，１Ａ，１Ｂ…水中ポンプ装置、１０…水中ポンプ、１１…第１ポンプ、１２…第２ポンプ、１３…第１連結配管、１３Ｂ…第１連結配管、１４…第２連結配管、１５…吊部、１５Ａ…吊部、１７…連結部、１８…連結直管、２１…第１モータ部、２２…第１ポンプ部、２３…第２モータ部、２４…第２ポンプ部、３１…モータケーシング、３２…固定子、３３…回転子、３４…回転軸、４１…第１ポンプケーシング、４１ａ…第１ポンプ室、４１ｂ…脚部、４１ｃ…第１吸込口部、４１ｄ…第１吐出口部、４１ｄ１…フランジ、４２…第１インペラ、４３…第２ポンプケーシング、４３ａ…第２ポンプ室、４３ｂ…脚部、４３ｃ…第２吸込口部、４３ｄ…第２吐出口部、４３ｄ１…フランジ、４４…第２インペラ、５１…第１開口部、５２…第２開口部、５３…テーパ部、５４…フランジ、５５…フランジ、５５ａ…ボルト、６１…第１アイボルト、６２…第２アイボルト、６３…第１棒部材、６４…第２棒部材、６５…第３棒部材、６６…第３アイボルト、７１…ベンド配管、７１ａ…フランジ、７１ｂ…スライド部、７１ｂ１…突起部、７１ｂ２…結合面、７１ｃ…固定部、７２…ベース部、７２ａ…支持体、７２ｂ…脚体、７３…棒部材、７３ａ…円柱部、７３ｂ…円筒部、８１…フランジ、８２…昇降ガイド部、８２ａ…鉤状部、８２ａ１…爪部、８２ａ２…稜部、８２ｂ…案内部、８３…被スライド部、９１…傾斜面、１００…汚水槽、１０１…設置面、１０２…孔部、１１０…吐出配管。
【図１】
2019127878.tif 000003
【図２】
2019127878.tif 000004
【図３】
2019127878.tif 000005
【図４】
2019127878.tif 000006
【図５】
2019127878.tif 000007
【図６】
2019127878.tif 000008
【手続補正書】
【提出日】平成31年3月11日(2019.3.11)
【手続補正１】
【補正対象書類名】特許請求の範囲
【補正対象項目名】全文
【補正方法】変更
【補正の内容】
【特許請求の範囲】
【請求項１】
軸心が重力方向に延びる第１モータ部と、
下端部に設けられ、前記軸心方向に開口する第１吸込口部、及び、側面部に設けられ、前記軸心に直交する方向に開口する第１吐出口部を有する、前記第１モータ部の下端に設けられた第１ポンプ部と、
一端が前記第１吐出口部に接続され、前記軸心に直交する方向に延びるとともに、前記一端から他端の中途において、前記軸心方向に沿って上方に屈曲し、前記一端側の開口から前記屈曲位置の間で内径が拡径する第１連結配管と、
軸心が重力方向に延びる第２モータ部と、
下端部に設けられ、前記軸心方向に開口する、前記第１連結配管の他端に接続された第２吸込口部、及び、側面部に設けられ、前記軸心に直交する方向に開口する第２吐出口部を有する、前記第２モータ部の下端に設けられた第２ポンプ部と、
一端が前記第２吐出口部に接続され、前記軸心に直交する方向に延びる連結直管と、
前記連結直管の他端の上部に一体に設けられ、前記連結直管の他端の端面から、前記連結直管の軸方向に所定の間隔を空けて離間し、下方に向かって延びる爪部を有する鉤状部と、
前記連結直管の他端に接続され、前記軸心に直交する方向に延びるとともに、一端から他端の中途において、前記軸心方向に沿って上方に屈曲する、汚水槽に固定されるベンド配管と、
前記ベンド配管の一端側の上部に設けられ、前記鉤状部の前記所定の間隔内に挿入され、前記鉤状部に係合する突起部と、
を具備し、
前記第１モータ部、前記第１ポンプ部、前記第１連結配管、前記第２モータ部、前記第２ポンプ部、及び、前記連結直管は、一体に組み立てられ、
前記第１モータ部、前記第１ポンプ部、前記第１連結配管、前記第２モータ部、前記第２ポンプ部、及び、前記連結直管を一体としたときの重心位置よりも、前記第１ポンプ部及び前記第２ポンプ部の並び方向で前記第１ポンプ部側に懸架部が設けられた水中ポンプ装置。
【請求項２】
一端が前記第２吐出口部に接続され、前記軸心に直交する方向に延びるとともに、前記一端から他端の中途において、前記軸心方向に沿って上方に屈曲し、前記一端側の開口から前記屈曲する位置の間で内径が拡径した第２連結配管を備える請求項１に記載の水中ポンプ装置。
【請求項３】
前記突起部は、前記ベンド配管の一端側の軸方向の幅が、上端から前記ベンド配管の周壁に向かって漸次広がるとともに、前記爪部の先端及び前記爪部の内面の稜部が当接する面が傾斜する、請求項１に記載の水中ポンプ装置。
【請求項４】
前記連結直管の他端の端面は、前記ベンド配管の一端側の端面に向かって下方へ傾斜する請求項１に記載の水中ポンプ装置。
【請求項５】
前記ベンド配管は、前記突起部の二次側の上面に設けられ、重力方向に沿って上方に延びる棒部材を有し、
前記鉤状部は、前記爪部の上端側の側面に、前記連結直管の軸方向に沿って前記連結直管の他端の端面から離間する方向に延出され、前記棒部材の周壁の周方向の少なくとも一部を囲む案内部を有する、請求項１に記載の水中ポンプ装置。
【手続補正２】
【補正対象書類名】明細書
【補正対象項目名】０００９
【補正方法】変更
【補正の内容】
【０００９】
本発明の一態様として、水中ポンプ装置は、軸心が重力方向に延びる第１モータ部と、下端部に設けられ、前記軸心方向に開口する第１吸込口部、及び、側面部に設けられ、前記軸心に直交する方向に開口する第１吐出口部を有する、前記第１モータ部の下端に設けられた第１ポンプ部と、一端が前記第１吐出口部に接続され、前記軸心に直交する方向に延びるとともに、前記一端から他端の中途において、前記軸心方向に沿って上方に屈曲し、前記一端側の開口から前記屈曲位置の間で内径が拡径する第１連結配管と、軸心が重力方向に延びる第２モータ部と、下端部に設けられ、前記軸心方向に開口する、前記第１連結配管の他端に接続された第２吸込口部、及び、側面部に設けられ、前記軸心に直交する方向に開口する第２吐出口部を有する、前記第２モータ部の下端に設けられた第２ポンプ部と、一端が前記第２吐出口部に接続され、前記軸心に直交する方向に延びる連結直管と、前記連結直管の他端の上部に一体に設けられ、前記連結直管の他端の端面から、前記連結直管の軸方向に所定の間隔を空けて離間し、下方に向かって延びる爪部を有する鉤状部と、前記連結直管の他端に接続され、前記軸心に直交する方向に延びるとともに、一端から他端の中途において、前記軸心方向に沿って上方に屈曲する、汚水槽に固定されるベンド配管と、前記ベンド配管の一端側の上部に設けられ、前記鉤状部の前記所定の間隔内に挿入され、前記鉤状部に係合する突起部と、具備し、前記第１モータ部、前記第１ポンプ部、前記第１連結配管、前記第２モータ部、前記第２ポンプ部、及び、前記連結直管は、一体に組み立てられ、前記第１モータ部、前記第１ポンプ部、前記第１連結配管、前記第２モータ部、前記第２ポンプ部、及び、前記連結直管を一体としたときの重心位置よりも、前記第１ポンプ部及び前記第２ポンプ部の並び方向で前記第１ポンプ部側に懸架部が設けられた。
【手続補正３】
【補正対象書類名】明細書
【補正対象項目名】００９３
【補正方法】変更
【補正の内容】
【００９３】
なお、本発明は、上記実施形態に限定されるものではなく、実施段階ではその要旨を逸脱しない範囲で種々に変形することが可能である。また、各実施形態は適宜組み合わせて実施してもよく、その場合組み合わせた効果が得られる。更に、上記実施形態には種々の発明が含まれており、開示される複数の構成要件から選択された組み合わせにより種々の発明が抽出され得る。例えば、実施形態に示される全構成要件からいくつかの構成要件が削除されても、課題が解決でき、効果が得られる場合には、この構成要件が削除された構成が発明として抽出され得る。
以下に、本願出願の当初の特許請求の範囲に記載された発明と同等の記載を付記する。
［１］  軸心が重力方向に延びる第１モータ部と、
下端部に設けられ、前記軸心方向に開口する第１吸込口部、及び、側面部に設けられ、前記軸心に直交する方向に開口する第１吐出口部を有する、前記第１モータ部の下端に設けられた第１ポンプ部と、
一端が前記第１吐出口部に接続され、前記軸心に直交する方向に延びるとともに、前記一端から他端の中途において、前記軸心方向に沿って上方に屈曲し、前記一端側の開口から前記屈曲位置の間で内径が拡径する第１連結配管と、
軸心が重力方向に延びる第２モータ部と、
下端部に設けられ、前記軸心方向に開口する、前記第１連結配管の他端に接続された第２吸込口部、及び、側面部に設けられ、前記軸心に直交する方向に開口する第２吐出口部を有する、前記第２モータ部の下端に設けられた第２ポンプ部と、
を具備する水中ポンプ装置。
［２］  一端が前記第２吐出口部に接続され、前記軸心に直交する方向に延びるとともに、前記一端から他端の中途において、前記軸心方向に沿って上方に屈曲し、前記一端側の開口から前記屈曲する位置の間で内径が拡径した第２連結配管を備える［１］に記載の水中ポンプ装置。
［３］  一端が前記第２吐出口部に接続され、前記軸心に直交する方向に延びる連結直管と、  前記連結直管の他端の上部に一体に設けられ、前記連結直管の他端の端面から、前記連結直管の軸方向に所定の間隔を空けて離間し、下方に向かって延びる爪部を有する鉤状部と、
前記連結直管の他端に接続され、前記軸心に直交する方向に延びるとともに、一端から他端の中途において、前記軸心方向に沿って上方に屈曲する、汚水槽に固定されるベンド配管と、
前記ベンド配管の一端側の上部に設けられ、前記鉤状部の前記所定の間隔内に挿入され、前記鉤状部に係合する突起部と、
を備える［１］に記載の水中ポンプ装置。
［４］  前記突起部は、前記ベンド配管の一端側の軸方向の幅が、上端から前記ベンド配管の周壁に向かって漸次広がるとともに、前記爪部の先端及び前記爪部の内面の稜部が当接する面が傾斜する、［３］に記載の水中ポンプ装置。
［５］  前記連結直管の他端の端面は、前記ベンド配管の一端側の端面に向かって下方へ傾斜する［３］に記載の水中ポンプ装置。
［６］  前記第１モータ部、前記第１ポンプ部、前記第１連結配管、前記第２モータ部、前記第２ポンプ部、及び、前記連結直管は、一体に組み立てられ、
前記第１モータ部、前記第１ポンプ部、前記第１連結配管、前記第２モータ部、前記第２ポンプ部、及び、前記連結直管を一体としたときの重心位置よりも、前記第１ポンプ部及び前記第２ポンプ部の並び方向で前記第１ポンプ部側に懸架部が設けられた［３］に記載の水中ポンプ装置。
［７］  前記ベンド配管は、前記突起部の二次側の上面に設けられ、重力方向に沿って上方に延びる棒部材を有し、
前記鉤状部は、前記爪部の上端側の側面に、前記連結直管の軸方向に沿って前記連結直管の他端の端面から離間する方向に延出され、前記棒部材の周壁の周方向の少なくとも一部を囲む案内部を有する、［３］に記載の水中ポンプ装置。